(57)【特許請求の範囲】
【請求項１】
光を取り込む採光部と、
前記採光部から出射された光を所定方向に伝搬させる導光部と、
前記導光部から出射された光を所定の空間に導く放射部と、を備えた採光システムであって、
前記採光部は、光透過性をもつ透光性基材と、当該透光性基材内に設けられた複数の反射材と、を有する採光パネルを備え、
前記採光パネルを断面視したときに、複数の前記反射材は、透光性基材の光が出射される側の側面に平行な面内を延びる一軸方向に沿って配列され、かつ、それぞれが前記一軸方向に対して傾斜しており、
前記放射部は、前記導光部から出射された光の進行方向を変化させる反射面を有し、
前記反射面は、放物面、または放物面上にそれぞれの端部が位置する複数の折れ面を有し、
前記放射部の、光が出射される側の末端における光の通過領域の断面である出射端面は、放物面、および放物面上にそれぞれの端部が位置する複数の折れ面を有する反射面を有していない前記導光部に繋がるように配置され、かつ前記導光部の、光が出射される側の末端における光の通過領域の断面である出射端面から傾斜して配置される採光システム。
【請求項２】
前記放射部の出射端面は、前記導光部の出射端面に連なる前記導光部の一側面と面一になるように配置される請求項１に記載の採光システム。
【請求項３】
前記放射部の出射端面の法線方向は、前記導光部の出射端面の法線方向に直交している請求項１または２に記載の採光システム。
【請求項４】
前記放物面の軸線方向は、前記放射部の出射端面から出射される光の進行方向に合わせて設定される請求項１乃至３のいずれか一項に記載の採光システム。
【請求項５】
前記放物面の焦点は、前記導光部または前記放射部の内部に設けられる請求項１乃至４のいずれかに記載の採光システム。
【請求項６】
前記放物面の焦点は、前記導光部の出射端面上に設けられる請求項５に記載の採光システム。
【請求項７】
前記放射部の出射端面から出射される光を拡散させる第１拡散部材を備える請求項１乃至６のいずれかに記載の採光システム。
【請求項８】
前記導光部の出射端面から出射される光を拡散させる第２拡散部材を備える請求項１乃至７のいずれかに記載の採光システム。
【発明の詳細な説明】
【技術分野】
【０００１】
本発明は、自然光を積極的に採光に利用する採光システムに関する。
【背景技術】
【０００２】
自然光を積極的に採光に利用することで、二酸化炭素の発生量を削減して、省エネルギー化を図る技術が注目を浴びている。
【０００３】
この技術の一つとして、外光を屋内の所定の空間まで導光する光ダクトが知られている。例えば、特許文献１には、屋根等から採り込んだ光を、室内の天井に設けた拡散部材で拡散させて、室内の照明光として利用する技術が開示されている。
【先行技術文献】
【特許文献】
【０００４】
【特許文献１】特開２０１３−５１３９２０号公報
【発明の概要】
【発明が解決しようとする課題】
【０００５】
特許文献１では、屋根等の光の取り込み口から拡散部材まで、内部が反射性の管にて光を伝搬している。光は、管の内面で反射を繰り返しながら伝搬するが、反射するたびに、光量が減衰してしまい、採り込んだ光の利用効率はそれほど高くないのが現実である。
【０００６】
太陽光は、建物に対して、斜め上方から入射される。このため、太陽光を採光に利用する採光システムは、建物の壁面に設置されることも多い。ところが、壁面に採光システムを設置すると、壁面から採り込んだ光を室内の奥壁や床に伝搬させるための、例えばＬ字状やＪ字状に屈曲した導光部が必要となり、このため導光部の一部を壁面よりも外側に離して配置せざるを得ず、見栄えがよくないという問題がある。同時に導光部の内面で光が反射される回数が増えてしまい、光量の減衰が大きくなる。また構造が複雑になる。
【０００７】
本発明が解決しようとする課題は、建物に設置しても見栄えが悪くならず、かつ採り込んだ光の減衰を抑制可能で、かつ単純な構造で実現可能な採光システムを提供することである。
【課題を解決するための手段】
【０００８】
上記の課題を解決するために、本発明の一態様では、光を取り込む採光部と、前記採光部から出射された光を所定方向に伝搬させる導光部と、前記導光部から出射された光を所定の空間に導く放射部と、を備えた採光システムであって、前記採光部は、光が入射される側に設けられた入光側面と、光が出射される側に設けられた出光側面と、を有する採光パネルを備え、前記採光パネルを断面視したときに、前記入光側面は第１面と、当該第１面と非平行な第２面とが交互に並ぶことにより形成されており、前記放射部は、前記導光部から出射された光の進行方向を変化させる反射面を有し、前記反射面は、放物面、または放物面上にそれぞれの端部が位置する複数の折れ面を有し、前記放射部の、光が出射される側の末端における光の通過領域の断面である出射端面は、放物面、および放物面上にそれぞれの端部が位置する複数の折れ面を有する反射面を有していない前記導光部に繋がるように配置され、かつ前記導光部の、光が出射される側の末端における光の通過領域の断面である出射端面から傾斜して配置される採光システムが提供される。また、本発明の別の一態様では、光を取り込む採光部と、前記採光部から出射された光を所定方向に伝搬させる導光部と、前記導光部から出射された光を所定の空間に導く放射部と、を備えた採光システムであって、前記採光部は、光透過性をもつ透光性基材と、当該透光性基材内に設けられた複数の反射材と、を有する採光パネルを備え、前記採光パネルを断面視したときに、複数の前記反射材は、透光性基材の光が出射される側の側面に平行な面内を延びる一軸方向に沿って配列され、かつ、それぞれが前記一軸方向に対して傾斜しており、前記放射部は、前記導光部から出射された光の進行方向を変化させる反射面を有し、前記反射面は、放物面、または放物面上にそれぞれの端部が位置する複数の折れ面を有し、前記放射部の、光が出射される側の末端における光の通過領域の断面である出射端面は、放物面、および放物面上にそれぞれの端部が位置する複数の折れ面を有する反射面を有していない前記導光部に繋がるように配置され、かつ前記導光部の、光が出射される側の末端における光の通過領域の断面である出射端面から傾斜して配置される採光システムが提供される。
【０００９】
前記放射部の出射端面は、前記導光部の出射端面に連なる前記導光部の一側面と面一になるように配置されてもよい。
【００１０】
前記放射部の出射端面の法線方向は、前記導光部の出射端面の法線方向に直交していてもよい。
【００１１】
前記放物面の軸線方向は、前記放射部の出射端面から出射される光の進行方向に合わせて設定されてもよい。
【００１２】
前記放物面の焦点は、前記導光部または前記放射部の内部に設けられてもよい。
【００１３】
前記放物面の焦点は、前記導光部の出射端面上に設けられてもよい。
【００１４】
前記放射部の出射端面から出射される光を拡散させる第１拡散部材を備えてもよい。
【００１５】
前記導光部の出射端面から出射される光を拡散させる第２拡散部材を備えてもよい。
【発明の効果】
【００１６】
本発明によれば、建物に設置しても見栄えが悪くならず、かつ採り込んだ光の減衰を抑制でき、かつ単純な構造で実現できる。
【図面の簡単な説明】
【００１７】
【図１】採光システム１が取り付けられた建物２を模式的に示す縦断面図。
【図２】図１の採光システム１の要部を示す断面図。
【図３】本実施形態による採光システム１を窓１１に取り付けた例を示す図。
【図４】採光パネル２１の内部構造の一例を示す断面図。
【図５】採光パネル２１の内部構造の他の一例を示す断面図。
【図６】放射部５の反射面６を平面鏡にした断面図。
【図７】（ａ）は一実施例のシミュレーション結果、図７（ｂ）は一比較例のシミュレーション結果を示す図。
【発明を実施するための形態】
【００１８】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。図１〜図７は、本発明による一実施の形態を説明するための図である。このうち、図１は採光システム１が取り付けられた建物２を模式的に示す縦断面図である。
【００１９】
なお、本明細書において、「パネル」、「板」、「シート」、「フィルム」等の用語は、呼称の違いのみに基づいて、それぞれ区別されるものではない。したがって、例えば、「パネル」は板、シート、フィルムとも呼ばれ得るような部材も含む概念である。一具体例として、「採光パネル」には、「採光板」、「採光シート」、「採光フィルム」等と呼ばれる部材も含まれる。
【００２０】
図１の採光システム１は、建物２の建設時、あるいは建設後に取り付けられるものであって、光を取り込んで所定の空間、例えば部屋２に導くためのものである。
【００２１】
図１の採光システム１は、光を採り込む採光部３と、採光部３から出射された光を所定方向に伝搬させる導光部４と、導光部４から出射された光を所定の空間に導く放射部５とを備えている。
【００２２】
導光部４と放射部５は、おおむね一方向、例えば建物２の鉛直方向に配置されており、一方向に直交する方向、例えば水平方向への幅が狭いという特徴を有する。
【００２３】
放射部５は、導光部４の出射端面４ａから出射された光の進行方向を変化させる反射面６を有する。反射面６で反射された光は、放射部５の出射端面５ａから出射される。放射部５の出射端面５ａは、導光部４に沿って配置され、かつ導光部４の出射端面４ａから傾斜して配置されている。
【００２４】
ここで、「傾斜して配置」とは、放射部５の出射端面５ａの面方向が導光部４の出射端面４ａの面方向とは異なることを意味する。例えば、図１では、放射部５の出射端面５ａの面方向と導光部４の出射端面４ａの面方向とが約９０°相違しているが、これは一例であり、放射部５の出射端面５ａの面方向は、導光部４の出射端面４ａの面方向とは相違した方向であればよい。
【００２５】
建物２には、放射部５の出射端面５ａの位置に合わせて、光取り込み孔または窓が設けられている。光取り込み孔を設ける場合は、この孔は建物２の外壁を貫通するように配置される。これにより、放射部５の出射端面５ａから出射された光は、光取り込み孔を介して、建物２の内部に入射される。窓を設ける場合は、窓を介して、放射部５から出射された光が建物２の内部に入射される。
【００２６】
放射部５の出射端面５ａには、望ましくは拡散部材７が取り付けられる。拡散部材７は、放射部５の出射端面５ａから出射された光を拡散させる作用を行うため、導光部４から出射される光の角度範囲を広げることができる。また、放射部５の出射端面５ａに拡散部材７を設けることで、出射端面から異物が放射部５や採光部３内に入り込むおそれを防止できる。異物の種類にもよるが、空中の浮遊物等が放射部５の出射端面５ａから放射部５内に入り込むと、放射部５の反射面６や採光部３の内面での反射特性に悪影響を与えるおそれがある。よって、放射部５の出射端面５ａは、拡散部材７や透明部材により封止するのが望ましい。
【００２７】
なお、放射部５の出射端面５ａを光取り込み孔に接合する場合、光取り込み孔の建物２の内部側の端面に拡散部材７を取り付けてもよい。これにより、光取り込み孔を通過した光を建物２の内壁で拡散させることができる。
【００２８】
図１の採光システム１は、採光部３で採り入れた光を、例えば室内照明光として用いることができる。すなわち、図１の採光システム１を用いることにより、省エネルギー化を図ることができ、二酸化炭素の削減にも貢献しうる。
【００２９】
図２は図１の採光システム１の要部を示す断面図であり、採光システム１の光伝搬方向における断面構造を示している。導光部４と放射部５は中空の筒状部材であり、導光部４と放射部５の中空部分を光が伝搬するようにしている。光の伝搬途中で光が過度に減衰しないように、導光部４と放射部５の内面は、反射率の高い材料で形成されている。導光部４の中空部分の光伝搬方向に直交する方向の断面形状は特に制限はなく、例えば矩形でも円形でもよいし、その他の形状でもよい。放射部５の内面の形状については後述する。
【００３０】
採光部３は、季節や時間帯に応じて入射方向が変動する光を安定して採り込むために設けられている。採光部３に取り込まれる光は、異なる波長帯域に属する複数の成分を含む光であり、典型的には太陽光に代表される自然光である。
【００３１】
導光部４は、典型的には、一方向ｄ１に延びる筒状部材であり、採光部３の出射端面３ａから出射された光を、導光部４の長手方向である一方向ｄ１に伝搬させる。導光部４の出射端面４ａには、放射部５が接続されている。
【００３２】
図１では、採光部３、導光部４および放射部６を破線で区切っているが、採光部３、導光部４および放射部６の少なくとも二つは一体的に成形されていてもよい。すなわち、本明細書では、機能的に３つの部材３，４，６に分けて説明するが、実際には、これら３つの部材の分割構造であるとは限らない。
【００３３】
放射部５は、導光部４の出射端面４ａから出射された光の進行方向を変化させる反射面６を有する。この反射面６は、放物面、または放物面上にそれぞれの端部が位置する複数の折れ面を有する。反射面６で反射された光は、反射面６に対向配置された出射端面５ａから出射される。
【００３４】
放射部５の出射端面５ａは、図２に示すように、導光部４の出射端面４ａに繋がるように配置されている。より具体的には、放射部５の出射端面５ａは、導光部４の出射端面４ａに接続されており、放射部５の出射端面５ａと導光部４の出射端面４ａとは異なる方向に配置されている。典型的には、放射部５の出射端面５ａは建物２の外壁面に合わせて鉛直方向ｄ１に配置され、導光部４の出射端面４ａは水平方向に配置されている。そして、放射部５の出射端面５ａは、建物２の外壁に設けた光取り込み孔に隙間なく接合されている。これにより、放射部５の出射端面５ａから出射された光が建物２の外側に漏れ出さなくなる。
【００３５】
放射部５の出射端面５ａと、これに繋がる導光部４の一側面４ｂとは、面一であることが望ましい。この場合、これらの面を建物２の外壁に密着接合することで、採光システム１と建物２との間に隙間ができなくなり、採光システム１が建物２から大きく外側に張り出すようなことがなくなり、見栄えがよくなる。このように、放射部５と導光部４とを鉛直方向ｄ１に配置して、導光部４と放射部５とをともに建物２の壁面に密着接合させることで、採光システム１の建物２の壁面からの出っ張りを最小限に抑えることができ、採光システム１が建物２の外観に与える影響を最小限に抑えることができる。すなわち、建物２の外観上のデザインを損なうおそれを少なくできる。
【００３６】
図２に示すように、放射部５は、採光部３の入射面側に放物面８を有し、この放物面８の内面は、やはり放物面８からなる反射面６になっている。反射面６は、実際には理想的な放物面８から多少変形していたり、あるいは複数の折れ面で放物面８を近似する場合もありうるが、以下では、理想的な放物面８から多少形状が変形しているものも含めて、放物面８として説明する。この放物面８は、採光部３からの光を正反射すなわち鏡面反射する面であり、放物面鏡とも呼ぶことができる。
【００３７】
放物面８は、焦点９と軸線１０を有する。２次関数で表される放物線の軸線１０の周りに放物線を回転させることで、放物面８が得られる。本明細書では、放物面８を生成するのに用いた放物線の軸線１０を、放物面８の軸線１０と呼ぶ。もしくは、放物面８は、放物線をその法線方向に掃印した形状でもよい。
【００３８】
放物面８の焦点９は、軸線１０上に設けられる。放物面８が正反射を行うと仮定すると、図２に示すように、焦点９を通過して、放物面８上の任意の位置に入射された光は、各位置で反射されて、平行光になることが知られている。言い方を変えると、平行光が放物面８に入射されたときに、この平行光の放物面８での反射光が集束する点が焦点９である。導光部４または放射部５の内部の光が通過する領域内に焦点９を設定すれば、焦点９を通過した光を放物面８からなる反射面６にて平行化することができる。
【００３９】
このように、放射部５の反射面６を放物面８とし、焦点９を適切な位置すなわち光の通過領域内に配置することで、放射部５によって平行光を作り出すことができる。
【００４０】
焦点９は、文字通り、一点だけであるため、焦点９を通過しない光は、放物面８で反射されても、厳密な意味での平行光にはならない。ただし、導光部４または放射部５の内部に焦点９を設ければ、導光部４の出射端面４ａを通過する光は、多かれ少なかれ、焦点９の近傍を通過することになり、放物面８で反射した後に、平行光に近い方向に進行する。よって、本実施形態では、導光部４または放射部５の内部の所定位置に焦点９を配置する。
【００４１】
焦点９は、放物面８の軸線１０上にあり、軸線１０の方向と放物面８で反射された平行光の方向とは一致する。よって、焦点９を設定する際には、放物面８からの光の反射方向をも考慮に入れる必要がある。焦点９の位置と軸線１０の方向とが定まると、それに応じて、放物面８からなる反射面６の傾き具合も一意に定まる。例えば、図２において、軸線１０の方向を水平方向に近づける場合、すなわち、放物面８で反射された平行光を水平方向に近づける場合は、放物面８は凸部を下にして水平方向に傾くことになる。逆に、軸線１０の方向を鉛直方向に近づける場合は、放物面８は鉛直方向に傾くことになる。
【００４２】
焦点９以外を通過した光は、放物面８で反射されても、平行光にはならないが、軸線１０の方向に近い方向に進行する。導光部４の出射端面４ａから出射される光はいずれも焦点９の近傍を通過すると考えることができるため、反射面６を放物面８にして、導光部４または放射部５の内部に焦点９を設ければ、反射面６で反射された光は、ほぼ平行に進むとみなすことができる。
【００４３】
なお、反射面６の全体が放物面８である必要はなく、反射面６の一部のみが放物面８であってもよい。ただし、反射面６の全体に占める放物面８の割合が多いほど、反射面６で反射された光をより平行化させることができる。以下では、反射面６の全体が放物面８である例を説明する。
【００４４】
導光部４の内面と放射部５の反射面６とは、例えば、銀やアルミニウム、誘電体多層膜等の高反射率材料を、導光部４や放射部５の母材の表面にコーティングすることにより形成される。例えば、導光部４の光伝搬方向に直交する方向の断面が矩形状である場合は、樹脂や金属材料などからなる４枚の薄板基材を用意し、各薄板基材の一主面に高反射率材料をコーティングした上で、各薄板基材の長手方向端部を接合して導光部４を作製する。放射部５については、放物面形状の薄板基材の一主面に高反射率材料をコーティングした後に、プレス処理等により、放物面状に加工する。
【００４５】
本実施形態による採光システム１は、建物２の鉛直方向ｄ１に延びる外壁に取り付けたり、あるいは、鉛直方向ｄ１に延びる窓に取り付けることが可能である。例えば南側の窓に採光システム１を取り付けると、導光部４や放射部５により太陽光を遮ってしまうため、窓面が暗くなってしまうおそれがあるが、北側の窓には太陽光は入射されないため、北側の窓に採光システム１を設けて、採光部３の入射面を南側に向けることで、北側の窓の近くの所定方向を集中的に照明することができる。
【００４６】
図３は本実施形態による採光システム１を窓１１に取り付けた例を示している。図３の例では、導光部４は窓１１の上方の外壁に接合され、放射部５は窓１１に密着配置されている。放射部５から出射された光は、放物面８の軸線１０の方向に進行することから、この方向に位置する室内の特定範囲を集中的に照明することができる。
【００４７】
窓１１に隣接して別の建物２が建っていて、窓１１に十分な外光が入射されない場合であっても、採光部３を太陽光が当たる高い位置まで延ばすことで、窓１１を通して明るい光量の光を採り込むことができる。
【００４８】
次に、採光部３の構成について説明する。採光部３は、図２に示すように、光が入射される採光パネル２１と、採光パネル２１に対向して配置される対向パネル３１とを有する。対向パネル３１の反射面と採光パネル２１の出光側面との間の間隔Ｓは、一軸方向ｄ１に沿った位置に応じて徐々に広がっている。
【００４９】
採光パネル２１及び対向パネル３１の両側方に、側方パネルがそれぞれ設けられている。各側方パネルは、一軸方向ｄ１及び採光パネル２１の法線方向の両方に直交する方向、すなわち図２における紙面の奥行方向に沿った採光パネル２１及び対向パネル３１の縁部に接続している。側方パネルの内面は、対向パネル３１と同様に、反射面が形成されている。
【００５０】
採光パネル２１、対向パネル３１及び両側方パネルは、一軸方向ｄ１における一側に開口を形成しており、この開口が採光部３の出射端面３ａであり、この出射端面３ａに導光部４が接続されている。
【００５１】
図４は採光パネル２１の内部構造の一例を示す断面図である。図４の採光パネル２１は、互いに非平行な第１面および第２面が交互に並んで配置された入光面を有する。第１面２２ａは、採光パネル２１の出光側面２３に一致する鉛直方向に対して傾斜している。第１面２２ａは、上方を向くように鉛直方向に対して傾斜している。一方、各第２面２２ｂは、出光側面２３に対して第１面２２ａとは逆側に傾斜し又は出光側面２３と直交している。図示された例において、第２面２２ｂは、下方を向くように鉛直方向に対して傾斜している。
【００５２】
したがって、図４に示すように、鉛直方向における上方からの光Ｌ３１，Ｌ３２の多くは、入光側面２２のうちの第１面２２ａへ入射されて屈折された後、鉛直方向と平行に延びる出光側面２３でさらに屈折されて、採光部３の内部に入る。これにより、鉛直方向において上方から下方に採光パネル２１を透過する光は、鉛直方向に対する傾斜角度が小さくなるよう、進行方向を偏向されるようになり、導光部４の方向に伝搬する。
【００５３】
採光パネル２１の内部構造は、図４に示したものに限定されない。例えば、図５は採光パネル２１の内部構造の他の一例を示す断面図である。図５の採光パネル２１は、支持板２２と、接合層２３と、光透過性をもつ透光性基材２４と、成形基材２６とを、入光側から出光側に向かって順に積層した構造である。支持板２２として、例えばガラス板やアクリル板、を用いることができる。接合層２３としては、それ自体既知の接合材料を用いることができる。なお、成形基材２６は、後述するように、採光パネル２１を製造するために必要となる基材である。
【００５４】
透光性基材２４内には、第１面２４ａに平行な面内を延びる一軸方向ｄ１に沿って配列された複数の反射材２５が設けられている。各反射材２５は、第１面２４ａ側から第２面２４ｂ側に向かって、水平方向ｎｄに対して鉛直方向ｄ１における下方に傾斜している。反射材２５が法線方向ｎｄに対して下方に傾斜する角度θは、進行方向を変更することが意図された光Ｐ１、Ｐ２の入射方向に応じて決定される。例えば、冬季や朝や夕方の時間帯のような比較的高度の低い太陽からの光Ｐ１の進行方向を、反射材２５にてより下方に向かうように変更させ、夏季の日中の時間帯のような比較的高度の高い太陽からの光Ｐ２を進行方向を維持したままで透過させることが意図されている。
【００５５】
なお、採光パネル２１の内部構造は、図４または図５に示したものに限定されない。採光部３に入射された光を効率的に導光部４に伝搬できる構造であれば、どのような構造でもよい。
このように、本実施形態では、採光システム１の導光部４と放射部５を一方向に繋がるように配置するため、本実施形態による採光システム１を建物２の外壁に設置したときに、外壁からの張り出し量を少なくでき、建物２の外観に与える影響をできるだけ少なくすることができる。より具体的には、放射部５の出射端面５ａを導光部４の建物２側の一側面４ｂと面一になるようにするため、導光部４と放射部５をともに建物２に密着接合することができ、建物２と採光システム１との間に隙間がなくなって、採光システム１をコンパクトに建物２に取り付けることができる。また、光ダクトとして作用する導光部４と放射部５を建物２の外壁に繋がるように配置するため、必ずしも建物２の内部に光ダクトを引き回す必要がなくなり、建物２への設置工事が容易になる。
【００５６】
また、放射部５は、放物面８からなる反射面６を有するため、採光部３から採り込んだ光を、建物２の内部の所定の方向に採り入れることができ、季節や時間帯により、太陽光の高度が変化しても、採光方向を常に揃えることができる。
【００５７】
さらに、採光システム１の設計時、もしくは設置時に、放物面８の軸線１０の方向を調整することで、採光方向を任意に調整できる。
【００５８】
このように、本実施形態による採光システム１は、採光設備が備わっていない既存の建物２に容易に取り付けることができ、簡易な構造であるために設置コストをそれほどかけずに、建物２内の所望の方向を狙って照明できる。照明には自然光を利用するため、二酸化炭素の排出量を制限でき、省エネルギー化を促進できる。
【実施例】
【００５９】
本発明者は、上述した実施形態による採光システム１の光伝搬方向をシミュレーションで評価した。この評価では、放射部５の反射面６を、理想的な放物面鏡とした。以下では、理想的な放物面鏡を用いた採光システム１を一実施例と呼ぶ。また、一比較例として、図６に示すように、放射部５の反射面６を、放物面鏡ではなく、平面鏡１３にした採光システム１についても、同様の評価を行った。
【００６０】
一実施例と一比較例では、放射部５の反射面６の形状が異なる他は、採光部３と導光部４の形状およびサイズを同じにした。具体的には、導光部４の径は５０ｍｍ、放射部５の鉛直方向の長さは４００ｍｍとした。
【００６１】
放物面８の断面である放物線は、以下の（１）式で表される。
【００６２】
【数１】
0006519156.tif 000002
【００６３】
（１）式において、ｆは、焦点９と放物線の頂点との距離すなわち焦点距離である。（１）式では、焦点９の座標（ｘ，ｙ）＝（０，ｆ）である。
【００６４】
一実施例では、焦点距離ｆ＝５０ｍｍとした。また、放物面鏡の軸線１０を鉛直方向から４５°傾斜させた。また、放物面鏡の焦点９を、導光部４の出射端面４ａの中央部よりも右側、すなわち放物面鏡から離れた側に配置した。さらに、放射部５の出射端面５ａを導光部４の右側の一側面４ｂと面一にした。
【００６５】
図７（ａ）は一実施例のシミュレーション結果、図７（ｂ）は一比較例のシミュレーション結果である。これらの図からわかるように、一比較例と比べて、一実施例では、放物面鏡で反射された光がより平行に近い方向に進行している。すなわち、一比較例は、放射部５から広い角度範囲に不均一に光が出射されるのに対し、一実施例では、放射部５から狭い角度範囲に均一に光が出射されている。
【００６６】
これにより、一実施例による採光システム１を用いれば、予め設定した放物面８の軸線１０の方向を狙って、照明することができることがわかる。
【００６７】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００６８】
１  採光システム、２  建物、３  採光部、４  導光部、５  放射部、６  反射面、７  拡散部材、８  放物面、９  焦点、１０  軸線、１１  窓、２１  採光パネル、３１  対向パネル
【図１】
0006519156.tif 000003
【図２】
0006519156.tif 000004
【図３】
0006519156.tif 000005
【図４】
0006519156.tif 000006
【図５】
0006519156.tif 000007
【図６】
0006519156.tif 000008
【図７】
0006519156.tif 000009